(57)【要約】【課題】  薬剤の添付文書の管理に伴う手間を省き、迅速且つ容易に最新の内容を記載した添付文書情報を入手できる、携帯端末を用いた薬剤情報管理システムを提供する。【解決手段】  少なくとも管理者側サーバ１への通信情報および薬剤検索情報を書き込んだ例えばＱＲコードのような二次元コード２１が前記薬剤検索情報に係る薬剤２、薬剤の包装２３または薬剤の包装に収容される台紙に記載されており、前記二次元コード２１を携帯端末３に備えた読み取り装置３１により読み取り管理者側サーバ１とウェブ通信４を介して接続し、前記管理者側サーバ１の薬剤情報データベース１２の内で前記薬剤検索情報に合致する添付文書情報１３を抽出し、前記携帯端末３に送信して前記携帯端末３の表示画面３２に表示させる携帯端末を用いた。【選択図】図１
2017041224.tif 000002
【特許請求の範囲】
【請求項１】
少なくとも管理者側サーバへの通信情報および薬剤検索情報を書き込んだ二次元コードが前記薬剤検索情報に係る薬剤、薬剤の包装または薬剤の包装に収容される台紙に記載されており、前記二次元コードを携帯端末に備えた読み取り装置により読み取るとともに前記読み取った通信情報に基づいて前記携帯端末と管理者側サーバとをウェブ通信を介して接続し、前記管理者側サーバの記憶装置に記憶させてある薬剤情報データベースの内で前記二次元コードに記載してある薬剤検索情報に合致する薬剤情報を抽出し、その薬剤情報を前記携帯端末に送信して前記携帯端末の表示画面に表示させる携帯端末を用いた薬剤情報管理システムであって、前記薬剤情報が前記薬剤に関する添付文書情報であることを特徴とする携帯端末を用いた薬剤情報管理システム。
【請求項２】
前記携帯端末の記憶装置に前記管理者側サーバから送信される前記添付文書情報を蓄積可能としたことを特徴とする請求項１記載の携帯端末を用いた薬剤情報管理システム。
【請求項３】
前記二次元コードを複数連続して読み込んだときに前記読み込んだ複数の二次元コードの薬剤検索情報が複合された複合薬剤検索情報として、前記管理者側サーバにおいて抽出される薬剤情報が前記管理者側サーバの記憶装置に記憶させてある薬剤情報の内で前記複合薬剤検索情報に合致する薬剤情報を抽出して作成した複合薬剤情報であることを特徴とする請求項１または２記載の携帯端末を用いた薬剤情報管理システム。
【請求項４】
前記携帯端末がスマートフォンであって、前記薬剤情報管理システムを実行するプログラムが前記スマートフォンの記憶装置に記憶されている検索アプリケーションソフトであることを特徴とする請求項１，２または３記載の携帯端末を用いた薬剤情報管理システム。
【請求項５】
前記管理者側サーバが前記添付文書情報の更新蓄積サーバに定期的または不定期に接続可能であり、前記薬剤情報データベースに記憶されている添付文書情報を前記添付文書情報の更新蓄積サーバから送信される最新の添付文書情報に更新可能であることを特徴とする請求項１，２，３または４記載の携帯端末を用いた薬剤情報管理システム。
【請求項６】
前記薬剤の包装に記載された前記二次元コードはその近傍に少なくとも薬剤の名称を含む薬剤文字情報が併記されているとともに前記二次元コードと前記薬剤文字情報が一体的に表示された表示部として分離可能とされていることを特徴とする請求項１，２，３，４または５記載の携帯端末を用いた薬剤情報管理システム。
【請求項７】
前記二次元コードと前記薬剤文字情報が一体的に表示された表示部が複数種類の薬剤を薬剤ごとに収納するようにした収納区画を有する調剤棚の前記各収納区画に付設可能であることを特徴とする請求項６記載の携帯端末を用いた薬剤情報管理システム。
【発明の詳細な説明】
【技術分野】
【０００１】
本発明は、薬剤または薬剤の包装などに印刷された例えばＱＲコード（登録商標、以下同様）のような二次元コードを携帯端末で読み取って管理者側サーバに送信することにより管理者側サーバに蓄積されている薬剤情報を携帯端末に表示する携帯端末を用いた薬剤管理システムに関するものである。
【背景技術】
【０００２】
薬剤を処方せんに従って調剤する薬剤師は多数種類の薬剤を調剤するが、薬剤には、薬剤を安全に使用する目的で薬剤についての警告や使用上の注意、品目仕様、その他の重要事項を記載した添付文書を添付して販売するように法律で規定されており、薬剤師は添付文書の内容を確認しながら調剤するが、薬剤の種類は多いばかりか病態なども理解する必要があり、添付文書の内容を全て記憶しておくことは困難であり、添付文書を折り畳んだ状態或いは開いたままで調剤棚へ入れておき、調剤時において必要に応じて確認しているのが現状である。
【０００３】
また、添付文書の記載内容は年に数回程度の頻度で更新されるのが通例であるが、添付文書は薬剤の購入時に添付されるものであり、薬剤の在庫中に添付文書の記載内容が最新の情報でなくなるという問題がある。
【０００４】
そこで、添付文書はデジタル化したものを作成しておき、各薬局から通信回線を介して例えばレセコンや電子薬歴に付属する添付文書を入手可能なシステムが構築されているが、これらの多くは薬局に備えられたコンピュータや薬剤師が使用している携帯端末などの端末機器を用いて前記デジタル化した添付文書を蓄積した管理者側のサーバに接続し、必要な薬剤名或いは販売名をキーボードやタッチパネルなどの入力手段を用いて入力するものであるが、その際に、薬剤名は類似したものや比較的長いものなど、更には数字や英文字が混在するものなどが多く見受けられ正式な薬剤名を正確に入力しなければならず、入力にきわめて注意が必要であり、きわめて面倒である。
【０００５】
また、端末機器でのこの種の入力手段としてキーボードなどによる入力手段に替えて端末機器の画面に薬剤名を表示させて選択するような入力手段も可能であるが、現在薬剤師が取り扱う薬価基準に収載されている薬剤に一般用薬剤を加えると数万件の単位となり選択する薬剤名を表示するだけでも容易でなく、増してその中から所望の薬剤名を的確に選択することも困難であって容易な入力手段とはいえない。
【０００６】
また、近頃、薬剤情報紙に印刷した二次元コードを読み取ってサーバへ接続し、薬剤に関する情報を取得するシステム・装置が例えば、特開２００４−３１８２４０号公報、特開２００７−１２２１８３号公報、特開２００７−４１６７１号公報、特開２００７−７２８６号公報、特開２００２−２０７８２６号公報などに提示されている。
【０００７】
しかしながら、前記公報に提示されているような薬剤情報を携帯端末で取得する薬剤に関する情報を取得するシステム・装置の多くは処方せんや薬剤情報、薬袋などのような医療機関や調剤薬局が患者に対して付与するものであり、患者が処方された薬剤を適切に服用する患者個人を対象としたものであり、処方せん以外は薬剤師が行う調剤に関する薬剤情報に関するものではない。
【０００８】
また、二次元コードにより患者が管理者側サーバから取得する薬剤に関する情報は患者が手元に所持していない情報に関するものが殆どであり、患者が手元に有している薬剤情報を敢えて入手可能とするシステムの必要性はなく、更に、薬剤師が調剤するときの業務上の手助けになるものはピッキングや分包などの手作業を除いて見受けられない。
【先行技術文献】
【特許文献】
【０００９】
【特許文献１】特開２００４−３１８２４０号公報
【特許文献２】特開２００７−１２２１８３号公報
【特許文献３】特開２００７−４１６７１号公報
【特許文献４】特開２００７−７２８６号公報
【特許文献５】特開２００２−２０７８２６号公報
【発明の概要】
【発明が解決しようとする課題】
【００１０】
本発明は前記薬剤師が調剤する際に使用する添付文書についての問題点を解決するためになされたものであり、薬剤の購入時ならびにその後の調剤時に薬剤の保管、管理と合わせて必要な添付文書の管理に伴う手間を省き、調剤時に従来の端末機器による情報取得のようなきわめて不便で間違いやすい検索条件の入力手段を必要とせずに迅速且つ容易に最新の内容を記載した添付文書情報を入手できる携帯端末を用いた薬剤情報管理システムを提供することを課題とする。
【課題を解決するための手段】
【００１１】
前記課題を解決するためになされた本発明は、少なくとも管理者側サーバへの通信情報および薬剤検索情報を書き込んだ二次元コードが前記薬剤検索情報に係る薬剤、薬剤の包装または薬剤の包装に収容される台紙に記載されており、前記二次元コードを携帯端末に備えた読み取り装置により読み取るとともに前記読み取った通信情報に基づいて前記携帯端末と管理者側サーバとをウェブ通信を介して接続し、前記管理者側サーバの記憶装置に記憶させてある薬剤情報データベースの内で前記二次元コードに記載してある薬剤検索情報に合致する薬剤情報を抽出し、その薬剤情報を前記携帯端末に送信して前記携帯端末の表示画面に表示させる携帯端末を用いた薬剤情報管理システムであって、前記薬剤情報が前記薬剤に関する添付文書情報であることを特徴とする。
【００１２】
本発明によれば、購入時に薬剤に添付されている添付文書を保管しておく必要がなく、その点において薬剤師における薬剤の管理に要する手間が削減する。勿論、調剤時に添付文書を確認したいときには従来のような端末機器を用いての面倒な入力操作が不要で、薬剤または薬剤の包装などに記載されている二次元コードを携帯端末で読み取るだけの簡単な操作で迅速に必要な添付文書の内容を携帯端末の表示画面を通して確認することができる。
【００１３】
また、本発明において、携帯端末の記憶装置に前記管理者側サーバから送信される前記添付文書情報を蓄積可能とした場合には、調剤時に一旦送信状態を解除した後に再度添付文書の内容を確認したい場合、同時に他の薬剤についての添付文書情報も確認したい場合、更には印刷機により印刷したい場合などとして利用することができる。
【００１４】
なお、本発明において、前記二次元コードを複数連続して読み込んだときに前記読み込んだ複数の二次元コードの薬剤検索情報が複合された複合薬剤検索情報として、前記管理者側サーバにおいて抽出される薬剤情報が前記管理者側サーバの記憶装置に記憶させてある薬剤情報の内で前記複合薬剤検索情報に合致する薬剤情報を抽出して作成した複合薬剤情報である場合には、例えば処方せんに処方されている薬剤の全てを携帯端末で読み取って作成した複合薬剤検索情報として検索することで各薬剤についての添付文書情報を纏めて抽出可能として手間が省けるばかりか患者に処方された薬剤および薬剤相互に関する警告、禁忌、副作用などの重要情報を別に抽出させて携帯端末に表示させることも可能である。
【００１５】
殊に、本発明において、前記携帯端末がスマートフォンであって、前記薬剤情報管理システムを実行するプログラムが前記スマートフォンの記憶装置に記憶されている検索アプリケーションソフトであることにより本発明を有効に実行可能である。
【００１６】
また、本発明において、前記管理者側サーバが例えば製薬会社や薬剤情報機関における前記添付文書情報の更新蓄積サーバに定期的または不定期に接続可能であり、前記薬剤情報データベースに記憶されている添付文書情報を前記添付文書情報の更新蓄積サーバから送信される最新の添付文書情報に更新可能とすることにより、薬剤師は常に最新の情報が記載された添付文書を確認することができることからきわめて安全な調剤が可能であり、特に、従来のように調剤棚に保管してある添付文書を最新のものにしておくという手間を省くことができる。
【００１７】
更に、本発明において、前記薬剤の包装に記載された前記二次元コードがその近傍に少なくとも薬剤の名称を含む薬剤文字情報を併記したものであるとともに前記二次元コードと前記薬剤文字情報が一体的に表示された表示部として分離可能とされている場合には、二次元コードを携帯端末により読み取るときにその二次元コードが二次元コードに記載されている薬剤に関するものであるか否かの確認が容易であり、また、誤って他の薬剤の二次元コードを読み取ってしまう心配がなくきわめて安全である。
【００１８】
加えて、二次元コードと前記薬剤文字情報が一体的に表示された表示部として分離可能とした場合にはこの分離した二次元コードと薬剤文字情報とが一体に表示されることから、二次元コードを自作の二次元コード帳や調剤棚の薬剤収納区画にそのまま付設する事が可能であって、誤って異なる薬剤の箇所に二次元コードを付設してしまうことがない。
【発明の効果】
【００１９】
本発明によれば、薬局において薬剤購入時に添付される添付文書を調剤棚に薬剤とともに保管、管理することなしに必要なときに簡単な操作で間違いなく必要な薬剤についての最新の添付文書情報を閲覧することが可能である。
【図面の簡単な説明】
【００２０】
【図１】本発明の好ましい実施の形態を示す概略図。
【図２】図１に示した実施の形態のブロック回路図。
【図３】図１に示した実施の形態において検索アプリケーションを使用した場合の手順を表示画面により示す説明図。
【図４】図１に示した実施の形態において別の検索アプリケーションを使用した場合の手順を表示画面により示す説明図。
【図５】本発明の異なる実施の形態を示す説明図。
【図６】本発明の異なる実施の形態を示す説明図。
【図７】本発明の異なる実施の形態を示す説明図。
【図８】本発明の異なる実施の形態を示す説明図。
【発明を実施するための形態】
【００２１】
次に、本発明を図面に示す好ましい実施の形態に基づいて詳細に説明する。
【００２２】
図１および図２は本発明の好ましい実施の形態についての携帯端末を用いた薬剤情報管理システムの概略およびブロック回路図を示すものであり、本実施の形態は、例えば薬剤情報センター、薬局のレセコン、或いは電子薬歴用のコンピュータなどにより構成される管理者側サーバ１と、管理者側サーバ１への通信情報および薬剤検索情報を書き込んだ例えばＱＲコードである二次元コード２１およびその近傍に例えば「○○○錠」と薬剤の名称（薬剤名および販売名を含む）である薬剤文字情報２２が包装箱２３の表面に印刷された薬剤２と、前記包装箱２３の表面に印刷された二次元コード２１を読み取るカメラ機能である読み取り装置３１、液晶により形成される表示画面３２、２次バッテリである電源３３、検索アプリケーション３４を記憶させた記憶装置３５、例えば前記表示画面３２に表示されるタッチパネル式の操作手段３６、送受信装置３７、更に前記各装置を制御するＣＰＵである制御装置３８を有する例えばスマートフォンである携帯端末３とから構成される。
【００２３】
また、本実施の形態では、前記携帯端末３の記憶装置３５に記憶させた検索アプリケーション３４は、前記読み取り装置３１で読み取った二次元コード２１に書き込まれている管理者側サーバ１への通信情報を基にして前記送受信装置３７を介して例えばインターネット回線のような双方向通信が可能なウェブ通信回線４を介して自動的に前記管理者側サーバ１の送受信装置１４へ接続するとともに同時に読み取った添付文書に関する薬剤検索情報を送信し、前記管理者側サーバ１の送受信装置１４に検索結果が送信されると管理者側サーバ１の記憶装置１１の薬剤情報データベース１２に蓄積してある添付文書情報１３の内で前記携帯端末３から送受信装置３７により送信される薬剤検索情報を用いて合致するものを検索、抽出し、前記送受信装置１４を介して送信機器（携帯端末３）に返送する検索抽出アプリケーション１５が記憶されている。
【００２４】
次に、前記図１および図２に示した本実施の形態について所定のプログラムを有する検索アプリケーション３４による使用方法を図３に示す表示画面３２に基づいて具体的に説明する。尚、本実施の形態を実行するには検索アプリケーション３４を携帯端末３に内蔵された記憶装置３５に予め記憶させておく必要があり、薬剤師は事前に携帯端末３に備えられた送受信装置３７を介してインターネットなどの通信回線を介して本発明を実施するための検索アプリケーション３４をダウンロードなどにより記憶させておく。
【００２５】
そして、薬剤師が薬剤２に関する添付文書情報を確認したい場合に、まず、図１に示した携帯端末３の操作手段３６を操作して前記予め記憶装置３５に記憶させてある検索アプリケーション３４を起動させて表示画面３２に表示する（以下「ＴＯＰ画面」という）（図３（ａ）参照）。
【００２６】
次に、表示画面３２に表示されている二次元コード認証アイコンＡ１をタッチして携帯端末３に備えられたカメラである読み取り装置３１を起動させるとともに図３（ｂ）に示すように表示画面３２に「二次元コード読取画面」を表示させ、図１に示す薬剤２の包装箱２３に印刷されている二次元コード２１を読み取り装置３１により読み取る。このとき、読み取り装置３１より入力される画像情報は表示画面３２に表示されるため薬剤師は容易に手元の携帯端末３の位置を調整し、適切に二次元コード２１を読み取り装置３１によって読み取ることができる。
【００２７】
二次元コード２１が読み取られると、携帯端末３の記憶装置３５に記憶させてある検索アプリケーション３４により前記読み取った二次元コード２１に記載されている管理者側サーバ１への通信情報および薬剤検索情報を送受信装置３７によりウェブ通信回線４を介して携帯端末３の送受信装置３７と管理者側サーバ１の送受信装置１４とが双方向通信可能に接続される。
【００２８】
そして、前記双方向通信可能な送受信装置１４により受信された薬剤検索情報に基づいて検索抽出アプリケーション１５が前記管理者側サーバ１の記憶装置１１の薬剤情報データベース１２に記憶されている添付文書情報１３を検索、抽出して送受信装置１４により前記携帯端末３の送受信装置３７に送信されて検索アプリケーション３４により管理者側サーバ１から送信された添付文書情報１３が図３（ｃ）に示すように例えばＰＤＦ（Ｐｏｒｔａｂｌｅ  Ｄｏｃｕｍｅｎｔ  Ｆｏｒｍａｔ）ファイルにより表示画面３２に表示される。
【００２９】
このとき、本実施の形態における携帯端末３はスマートフォンであり、図３（ｃ）に示したように薬剤２の添付文書情報１３を表示画面３２に全頁を表示させることは言うまでもなく、ピンチイン・ピンチアウトによる拡大、縮小、フリックによるスクロールを駆使することにより薬剤師が必要な情報を閲覧することができる。
【００３０】
閲覧が済んだら、表示画面３２に表示されている「閉じる」アイコンＡ３をタッチすることにより添付文書情報１３の画面を閉じて前記図３（ａ）に示した検索アプリケーション３４の起動画面を表示させた「ＴＯＰ画面」に移行するので操作を終了する場合には前記携帯端末３の操作手段３６をオフ操作して終了する。再度、検索するには再び表示画面３２に表示されている二次元コード認証アイコンＡ１をタッチして前記の手順の通り二次元コード２１を読み込み図３（ｃ）に示す薬剤２の添付文書情報１３を表示させて確認する。
【００３１】
前記図３（ｃ）に示した添付文書情報１３の画面に表示されている「戻る」アイコンＡ４をタッチすることにより図３（ｂ）に示した表示画面３２に「二次元コード読取画面」が表示されている状態に戻るので、前記の手順と同様に薬剤２の包装箱２３に印刷されている二次元コード２１を読み取り装置３１により読み取ることができる。
【００３２】
また、前記図３（ｂ）に示した「二次元コード読取画面」における表示画面３２の上部に表示された「ＴＯＰ画面」アイコンＡ２をタッチすることにより、前記図３（ａ）に示した検索アプリケーション３４の起動画面を表示させた「ＴＯＰ画面」に移行できる。
【００３３】
図３に示した検索アプリケーション３４は最も基本的なものであり、きわめて簡単な操作で薬剤２の添付文書情報１３を確認することができるものであり、必要であれば、前記図３（ｃ）に示した添付文書情報１３の表示画面３２に印刷アイコン、保存アイコンなど（図示せず）を表示させてスマートフォンである携帯端末３に内蔵されている機器やプログラムのアプリケーションを用いて印刷や保存をするなどの機能を追加することも簡単に行うことができる。殊に、本実施の形態では添付文書情報１３はＰＤＦファイル形式により表示されているので印刷の際にも表示された通り、即ち、実際の紙製の添付文書と同様の印刷物を簡単に得ることができる。
【００３４】
図４は本実施の形態において前記図３に示した検索アプリケーション３４のプログラムとは別のプログラムを用いた検索アプリケーション３４による本実施の形態の使用方法を示すものであり、検索アプリケーション３４のダウンロード、二次元コード２１の読み取り装置３１による読み取り、更には薬剤２の添付文書情報１３の表示画面３２への表示など基本的な閲覧手段は前記図３に示した検索アプリケーション３４を用いた場合とほぼ同様であり、この点についての詳細な説明は省略する。
【００３５】
尚、この図４に示した検索アプリケーション３４によるプログラムは殊に前記図３に示した手法により表示させた薬剤２の添付文書情報１３の内で必要なものを履歴事項として前記二次元コード２１に記載されている薬剤検索情報とともに記憶装置３５に記憶させておく点が異なるものである。以下、詳細に説明する。
【００３６】
図４に示した検索アプリケーション３４を用いて本発明を実施するには、まず、図１に示した携帯端末３の操作手段３６を操作して前記予め記憶装置３５に記憶させてある検索アプリケーション３４を起動させて前記図３（ａ）に示した「ＴＯＰ画面」を表示画面３２に表示させ、「ＴＯＰ画面」に表示されている二次元コード認証アイコンＡ１をタッチして携帯端末３に備えられたカメラである読み取り装置３１を起動させて図４（ａ）に示すように表示画面３２に「二次元コード読取画面」を表示させ、図１に示す薬剤２の包装箱２３に印刷されている二次元コード２１を読み取り装置３１により読み取り、図４（ｄ）に示すように、ＰＤＦファイルによる薬剤２の添付文書情報１３を表示画面３２に表示させて閲覧するまでは同じである。
【００３７】
添付文書情報１３が表示されている表示画面３２の上部に星形アイコンＡ５およびその近傍に「お気に入り」と表示されている点が異なる。薬剤師は添付文書情報１３を閲覧した後に終了する場合には前記図３に示した場合と同様に表示画面３２に表示されている「閉じる」アイコンＡ３をタッチすることにより添付文書情報１３の画面を閉じて前記図３（ａ）に示した開始の検索アプリケーション３４の起動画面を表示させた「ＴＯＰ画面」に移行させて操作手段３６をオフ操作して終了する点或いは「戻る」アイコンＡ４をタッチして図４（ａ）に示すように表示画面３２に読み取り画面を再表示させて薬剤２の添付文書情報１３を表示させることにより連続して操作を行う点は前記図３に示した検索アプリケーション３４を用いた場合と同様である。
【００３８】
本実施の形態の検索アプリケーション３４が図３に示した検索アプリケーション３４と異なる点は、図４（ｄ）に示した表示画面３２に表示されている添付文書情報１３が携帯端末３の記憶装置３５に設定した「読取履歴」の記憶部（図示せず）に例えば前記読み取りの順番に添付文書情報１３のタイトルを付けて前記二次元コード２１に記載されている薬剤検索情報とともに自動的に記憶される点であり、更に、表示されている表示画面３２の上部の星形アイコンＡ５をタッチすることにより、添付文書情報１３を図２に示した携帯端末３の記憶装置３５に設定した「お気に入り」の記憶部（図示せず）に添付文書情報１３のタイトルを付与して例えば読み取り順などにより記憶させておくことである。
【００３９】
そして、本実施の形態において図４（ａ）に示した「二次元コード読取画面」を表示させた状態における表示画面３２に表示されている「読取履歴」アイコンＡ６をタッチすることで図４（ｂ）に示すように前記記憶装置３５の「読取履歴」に記憶させてある二次元コード２１を読み取って表示させた添付文書情報１３の履歴が例えば読み取り順に一覧表示された「読取履歴画面」を表示画面３２に表示することができる。
【００４０】
この「読取履歴画面」は前述のように携帯端末３の記憶装置３５に設定した「読取履歴」の記憶部（図示せず）へ記憶させた各添付文書情報１３のタイトルが表示されたものであり、薬剤師は表示されている添付文書情報１３のタイトル表示をタッチすることにより再度二次元コード２１を読み取ることなく当該添付文書情報１３を図４（ｄ）に示したように表示画面３２に表示させて添付文書情報１３を閲覧することができる。そのため、読み取り操作が不要であるとともに被読取情報である二次元コード２１が手元にない場合にも添付文書情報１３を閲覧することができるという利点がある。
【００４１】
また、薬剤師は、例えば図４（ｂ）に示す「読取履歴画面」に表示される添付文書情報１３のタイトルが多くなって不便であると感じたとき、表示画面３２の下部に表示されている「履歴削除」アイコンＡ７をタッチすることによって記憶装置３５の記憶部（図示せず）に記憶された「読取履歴」の一部または全部を削除して「読取履歴画面」を整理することができる。
【００４２】
更に、本実施の形態において薬剤師は図４（ｂ）に示す「読取履歴画面」に表示される各添付文書情報１３のタイトル先頭に配した星形アイコンＡ５をタッチすることにより、当該添付文書情報１３を図２に示した携帯端末３の記憶装置３５に設定した「お気に入り」の記憶部（図示せず）へ各添付文書情報１３のタイトルを付与して記憶させておくことができる。
【００４３】
そして、前記図４（ｂ）に示した「読取履歴画面」における表示画面３２の上部の「お気に入り」タブＡ８をタッチすることで、図４（ｃ）に示すように表示画面が「お気に入り画面」に切り替わり前記図４（ｂ）または図４（ｄ）において星形アイコンＡ５をタッチすることによって記憶装置３５の記憶部（図示せず）に記憶されている「お気に入り」の添付文書情報１３のタイトルを一覧表示されるので例えば使用頻度の高い添付文書情報１３については「お気に入り」に設定することで前記全ての二次元コードの読み込みに基づいてそれらの添付文書情報１３を記憶させた「読取履歴」を目視で検索することを必要とせずに極めて容易且つ迅速に必要な添付文書情報１３を選択することが可能である。また、この図４（ｃ）に表示した「お気に入り画面」における表示画面３２の下部に表示された「お気に入り整理」アイコンＡ１０をタッチすることで記憶装置３５の記憶部（図示せず）に記憶された「お気に入り」の一部または全部の削除或いは並べ替えを可能にすることにより薬剤師は自分自身の使いやすいように「お気に入り」に選択した添付文書情報１３を使用できるため非常に便利である。
【００４４】
また、前記図４（ｃ）において表示画面３２の上部に表示された「読取履歴」タブＡ９をタッチすることで、前記図４（ｂ）に示した「読取履歴画面」へ表示を切り替えることができる。
【００４５】
尚、検索アプリケーション３４を用いた場合に読み取り装置３１により二次元コード２１を読み込んだ場合にその薬剤検索情報と添付文書情報１３が「読取履歴」として或いは「お気に入り」に記憶されている場合、即ち、前記二次元コード２１の薬剤検索情報と前記記憶されている添付文書情報１３の薬剤検索情報とを検索して一致した情報がある場合には薬剤検索情報を管理者側サーバ１に送信することなく前記図４（ｂ）または図４（ｃ）に示す画面を表示して添付文書情報１３のタイトルが表示されるように設定することでそのタイトルをタッチすることにより記憶装置３５に記憶されている添付文書情報１３を図４（ｄ）に示したように表示させることにより「読取履歴」の選択ミスがなくなり、また、送受信信号が有効に作用しない場合にも有効に添付文書情報１３を迅速に得ることができる。
【００４６】
尚、前記図４（ａ）乃至図４（ｃ）に示した「二次元コード読取画面」、「読取履歴画面」および「お気に入り画面」における表示画面３２の上部に表示された「ＴＯＰ画面」アイコンＡ２をタッチすることにより、前記図３（ａ）に示した検索アプリケーション３４の起動画面を表示させた「ＴＯＰ画面」に移行できる。
【００４７】
このように、本実施の形態は、きわめて簡単に且つ確実に薬剤２の添付文書情報１３を確認することができるものであるが、本実施の形態では、薬剤２の包装箱２３に記載されている二次元コード２１にはその近傍に薬剤２についての薬剤文字情報２２（例えば薬剤の販売名「○○○錠」）が併記されているので、薬剤師が誤って他の薬剤に付されている二次元コード２１を読み取ってしまうことを防止することができる。
【００４８】
前述のように、本実施の形態によれば、薬剤の購入時に添付される添付文書を保管、管理しなくても必要なときに二次元コード２１を携帯端末３により読み取るだけの簡単な操作により即座に添付文書情報１３を確認することができるものである。
【００４９】
また、図１に示したように、前記管理者側サーバ１と例えば製薬会社や薬剤情報機関における前記添付文書情報の更新蓄積サーバ５とをウェブ通信回線４を介して接続することで定期的或いは不定期に新規の添付文書情報を受信して前記管理者側サーバ１の記憶装置１１の薬剤情報データベース１２に蓄積してある添付文書情報１３を更新しておくことにより薬剤師に常に最新の添付文書情報１３を提供することが可能であり、いつでも安全な調剤をすることができる。
【００５０】
図５は本発明における例えばＱＲコードである二次元コード２１の薬剤２への記載が異なる実施の形態を示すものであり、本実施の形態では、図５（ａ）に示すように薬剤２の包装箱２３の正面２５および側面２６に二次元コード２１と薬剤２についての薬剤文字情報（例えば薬剤の販売名「○○○錠」）２２が近傍に併記されて１つの表示部２４を形成している。従って、図５（ｂ）に示すように、薬剤２を取り出した空の包装箱２３に形成されている表示部２４を切り取るなどの手段により分離することで、二次元コード２１と薬剤２についての薬剤文字情報（例えば薬剤の販売名「○○○錠」）２２が一体的に併記された表示部２４を取り出すことができる。
【００５１】
そのため、薬剤師は前記包装箱２３から分離した表示部２４を図５（ｃ）に示すように調剤棚６の収納区画６１内にそのまま投入して保管しておくか、図５（ｄ）に示すように調剤棚６の収納区画６１毎に設けられた差込部６２に付設するなどの手段により薬剤保管箇所に保管しておくことが可能であり、添付文書を確認したいときに前記表示部２４に記載されている二次元コード２１を携帯端末３で読み取って前記図１乃至図４に示した実施の形態と同様にして添付文書情報１３を確認することができる。
【００５２】
このとき、本実施の形態では、二次元コード２１を読み取る際に前記包装箱２３から分離した表示部２４には薬剤文字情報２２が併記されているので誤って他の薬剤の二次元コードを読み取る心配がない。加えて、前記調剤棚６に表示部２４を保管する際にも表示部２４を他の収納区画６１に誤って付設したり、投入したりすることもない。
【００５３】
また、本実施の形態では、図５（ｃ）および図５（ｄ）に示すように、包装箱２３から分離した表示部２４には薬剤２の薬剤文字情報（例えば薬剤の商品名「○○○錠」）２２が明記されているので購入した薬剤２を調剤棚６の収納区画６１内に保管したときに収納区画６１内に表示部２４をそのまま投入するか、あるいは調剤棚６の収納区画６１毎に設けられた差込部６２に表示部２４を付設することで、別途薬剤名称を付記するためのラベルなどを作成する手間が不要で、且つラベルを作成する際の表記の誤りや取り違いなどが生じる心配もない。
【００５４】
図６は本発明における例えばＱＲコードである二次元コード２１の薬剤２への記載が異なる実施の形態を示すものであり、本実施の形態では表示部２４を台紙２７に記載して包装箱２３内に封入した点が異なる。本実施の形態では、前記図５に示した包装箱２３に表示部２４を記載したものと異なり、包装箱２３から切り取る必要がなく、台紙２７をそのまま図５（ｃ）（ｄ）と同様に、調剤棚６の収容区画６１に表示部２４を投入するか、あるいは収納区画６１毎に設けられた差込部６２に表示部２４を付設すればよく、きわめて便利である。
【００５５】
図７は前記図５と同様に本発明における例えばＱＲコードである二次元コード２１の薬剤２への記載が異なる実施の形態を示すものであり、前記図５に示す実施の形態では包装箱２３の一部を切り取って形成した平板状の表示部２４としたが、本実施の形態では予め表示部２４をシール状とした点が異なる。本実施の形態では表示部２４がシール状であることから極めて簡単に包装箱２３から分離することが可能であり、また、分離させた後の処理もそのまま調剤棚６の収容区画６１または差込部６２、ノートなど（図示せず）に簡単に貼付して保管することができるなどの利点を有している点が異なる。
【００５６】
更に、図８に示すものは薬剤のＰＴＰ包装に前記表示部２４を形成したものであり、薬剤を保管しておくだけで添付文書情報１３を確認することが可能であり、きわめて便利である。
【００５７】
また、本発明は、前記二次元コード２１を複数連続して読み込んだときに前記読み込んだ複数の二次元コード２１の薬剤検索情報が複合された複合薬剤検索情報であって、前記管理者側サーバ１において抽出される薬剤情報が前記管理者側サーバの記憶装置に記憶させてある薬剤情報の内で前記複合薬剤検索情報に合致する薬剤情報を抽出して作成した複合薬剤情報とすることにより、各薬剤についての添付文書情報１３を一度に取得可能であるだけでなく、患者に処方された複数の薬剤間に生じる禁忌、副作用、などの重要な事項を別に設定して情報として得ることもできる。
【００５８】
尚、本実施の形態では、添付文書情報１３を携帯端末３の表示画面３２に表示する場合を示したが、表示させた添付文書情報１３を携帯端末３の記憶装置３５に記憶（所謂ダウンロード）させておくことにより、再度の確認や他の薬剤の添付文書情報同士の比較、更には印刷など多用途に利用することができることはいうまでもない。
【００５９】
また、本実施の形態では、管理者側サーバ１として薬剤情報センター、薬局のレセコン、或いは電子薬歴用のコンピュータなどを提示したが、例えばクラウドサーバ、薬局内の各種アクセスポイントを介して接続されるネット回線など各種の双方向通信により接続されるサーバを用いることができる。加えて、本実施の形態においては薬剤情報として薬剤の購入時に添付される添付文書情報（更新情報を含む）を対象としたが、これに限らず、例えば添付文書情報に含まれる一部の内容（禁忌、慎重投与、重要な基本的注意、相互作用、副作用、薬物・動態、薬効・薬理、有効成分に関する理化学的所見、取扱い上の注意などの各項などより選択された内容）を含む文書情報または薬剤師にとって調剤に必要なインタビューフォーム情報などの添付文書情報に関与する薬剤情報についても同様に或いは添付文書情報と併用して実施することも可能である（図示せず）。
【００６０】
更に、本実施の形態では、携帯端末３は読み取り装置３１で読み取った二次元コード２１に記載されている管理者側サーバ１への通信情報を基にして前記送受信装置３７を介して前記管理者側サーバ１へ接続するとともに管理者側サーバ１に蓄積してある添付文書情報１３を表示画面３２に表示させる構成であるが、二次元コード２１は一次元バーコードに比較して書き込み可能な情報量が多いことから、前記検索アプリケーション３４において、二次元コード２１に書き込まれている情報をそのまま表示画面３２に表示可能とすること、例えば添付文書情報の内で禁忌、慎重投与、重要な基本的注意、相互作用、副作用などの各項に記載された内容のように特に重大な薬剤情報、或いは薬剤師が調剤時に確認する頻度の高い薬剤情報などを、二次元コード２１に書き込んで表示可能としておき、必要であれば、更に管理者側サーバ１へ接続して添付文書情報１３を得るという構成とすることも可能であり、更にまた、近頃は携帯端末３自身の記憶装置３５の容量も増大していることから、前記管理者側サーバ１から取得した添付文書情報１３を携帯端末３の記憶装置３５へ記憶しておくことにより、管理者側サーバ１に接続することなく添付文書情報１３を確認することが可能である。尚、この場合には携帯端末３に記憶してある添付文書情報１３が最新のものであるか否かを前記管理者側サーバ１に接続して簡単に確認する手段、或いは定期的な更新手段が必要である。
【符号の説明】
【００６１】
１  管理者側サーバ、２  薬剤、３  携帯端末、４  ウェブ通信回線、５  更新蓄積サーバ、１１  記憶装置、１２  薬剤情報データベース、１３  添付文書情報、１４  送受信装置、１５  検索抽出アプリケーション、１６  制御装置、２１  二次元コード、２２  薬剤文字情報、２３  包装箱、２４  表示部、２５  正面、２６  側面、２７  台紙、３１  読み取り装置、３２  表示画面、３３  電源、３４  検索アプリケーション、３５  記憶装置、３６  操作手段、３７  送受信装置、３８  制御装置、６１  収納区画、６２  差込部、Ａ１  二次元コード認証アイコン、Ａ２  「ＴＯＰ画面」アイコン、Ａ３  「閉じる」アイコン、Ａ４  「戻る」アイコン、Ａ５  星形アイコン、Ａ６  「読取履歴」アイコン、Ａ７  「履歴削除」アイコン、Ａ８  「お気に入り」タブ、Ａ９  「読取履歴」タブ、Ａ１０  「お気に入り整理」アイコン
【図１】
2017041224.tif 000003
【図２】
2017041224.tif 000004
【図５】
2017041224.tif 000005
【図６】
2017041224.tif 000006
【図７】
2017041224.tif 000007
【図８】
2017041224.tif 000008
【図３】
2017041224.tif 000009
【図４】
2017041224.tif 000010